(57)【特許請求の範囲】
【請求項１】
第１無線ネットワーク及び第２無線ネットワークが混在する環境において、該第１無線ネットワークを介して通信可能な状態である移動機が、該第２無線ネットワークを介して通信可能な状態に遷移する移動通信方法であって、
管理サーバが、記憶部に、前記第２無線ネットワークを介して通信可能な前記第１無線ネットワーク内の第１エリアを記憶する工程と、
前記移動機が、前記第２無線ネットワークを介して通信可能な前記第１無線ネットワーク内の第１エリア内に在圏していることを検知した場合に、前記管理サーバに対して第２無線ネットワーク圏内情報を送信し、該第１エリアから退出したことを検知した場合に、該管理サーバに対して第２無線ネットワーク圏外情報を送信する工程と、
前記管理サーバが、前記記憶部を参照して、前記移動機が前記第１エリアに進入したことを検知した場合に、該移動機に対して、スキャン開始指示を送信する工程と、
前記移動機が、前記スキャン開始指示に応じて、アクセス可能な前記第２無線ネットワークのアクセスポイントを探索する工程と、
前記移動機が、探索した前記第２無線ネットワークのアクセスポイントと協働して、該第２無線ネットワークを介して通信可能な状態に遷移する工程とを有することを特徴とする移動通信方法。
【請求項２】
前記移動機は、前記移動機の記憶部に前記第２無線ネットワーク圏内情報が登録されているか否か判断し、前記登録がない場合には、前記第２無線ネットワーク圏内情報を前記管理サーバに送信する請求項１に記載の移動通信方法。
【請求項３】
前記移動機は、前記第２無線ネットワークのアクセスポイントのスキャン回数をカウントし、前記スキャン回数が所定閾値を超えた場合、前記第２無線ネットワークのアクセスポイントのスキャンを停止する請求項１に記載の移動通信方法。
【請求項４】
第１無線ネットワーク及び第２無線ネットワークが混在する環境において、該第１無線ネットワークを介して通信可能な状態から、該第２無線ネットワークを介して通信可能な状態に遷移することが可能な移動機であって、
前記第２無線ネットワークを介して通信可能な前記第１無線ネットワーク内の第１エリア内に在圏していることを検知した場合に、管理サーバに対して第２無線ネットワーク圏内情報を送信し、該第１エリアから退出したことを検知した場合に、該管理サーバに対して第２無線ネットワーク圏外情報を送信するように構成されている通知部と、
前記管理サーバから受信したスキャン開始指示に応じて、アクセス可能な前記第２無線ネットワークのアクセスポイントを探索するように構成されているスキャン処理部と、
探索した前記第２無線ネットワークのアクセスポイントと協働して、該第２無線ネットワークを介して通信可能な状態に遷移するように構成されている通信処理部とを具備し、
前記第２無線ネットワーク圏内情報は、前記移動機の識別情報、及び、前記第１エリア内に在圏している旨を示す情報を含み、
前記第２無線ネットワーク圏外情報は、前記移動機の識別情報、及び、前記第１エリアから退出した旨を示す情報を含むことを特徴とする移動機。
【請求項５】
前記通知部は、記憶部に前記第２無線ネットワーク圏内情報が登録されているか否か判断し、前記登録がない場合には、前記第２無線ネットワーク圏内情報を前記管理サーバに送信する請求項４に記載の移動機。
【請求項６】
前記スキャン処理部は、前記第２無線ネットワークのアクセスポイントのスキャン回数をカウントし、前記スキャン回数が所定閾値を超えた場合、前記第２無線ネットワークのアクセスポイントのスキャンを停止する請求項４に記載の移動機。
【発明の詳細な説明】
【技術分野】
【０００１】
本発明は、第１無線ネットワーク及び第２無線ネットワークが混在する環境において、第１無線ネットワークを介して通信可能な状態である移動機が、第２無線ネットワークを介して通信可能な状態に遷移する移動通信方法、管理サーバ及び移動機に関する。
【背景技術】
【０００２】
従来、ＦＯＭＡ（Ｆｒｅｅｄｏｍ  Ｏｆ  Ｍｏｂｉｌｅ  ｍｕｌｔｉｍｅｄｉａ  Ａｃｃｅｓｓ）ネットワーク及びＷＬＡＮ（無線ＬＡＮ：Ｗｉｒｅｌｅｓｓ  Ｌｏｃａｌ  Ａｒｅａ  Ｎｅｔｗｏｒｋ）の双方を介して通信可能な移動機（デュアル端末）は、ＷＬＡＮの圏外から圏内に移動した際に、ＷＬＡＮを介して通信可能な状態になるまでに時間を要するため、本来、ＷＬＡＮ圏内利用（すなわち、ＷＬＡＮを介した発信及び着信）が可能なエリアに在圏している場合であっても、外線利用（すなわち、ＦＯＭＡネットワークを介した発信及び着信）を行うこととなり、通信コストの無駄が生じていた。
【０００３】
かかる問題点を解決するために、移動機が、常時、ＷＬＡＮスキャンを実施すること（すなわち、アクセス可能なＷＬＡＮのアクセスポイントを探索すること）が考えられていた。
【特許文献１】特開２００７-４９６４５号公報
【特許文献２】特開２００５-６４８７７号公報
【発明の開示】
【発明が解決しようとする課題】
【０００４】
しかしながら、従来技術のように、移動機が、常時、ＷＬＡＮスキャンを実施した場合、ＷＬＡＮの圏外から圏内に移動した際に、素早くＷＬＡＮを掴むこと（すなわち、ＷＬＡＮを介して通信可能な状態に遷移すること）が可能となるが、移動機における消費電力が大きくなるという問題点があった。
【０００５】
そこで、本発明は、上述の課題に鑑みてなされたものであり、第１無線ネットワーク（例えば、ＦＯＭＡネットワーク）及び第２無線ネットワーク（ＷＬＡＮ）が混在する環境において、移動機の消費電力を抑えつつ、移動機が第２無線ネットワーク（ＷＬＡＮ）の圏外から圏内に移動した際に素早く第２無線ネットワーク（ＷＬＡＮ）を掴むことが可能な移動通信方法、管理サーバ及び移動機を提供することを目的とする。
【課題を解決するための手段】
【０００６】
本発明の第１の特徴は、第１無線ネットワーク及び第２無線ネットワークが混在する環境において、該第１無線ネットワークを介して通信可能な状態である移動機が、該第２無線ネットワークを介して通信可能な状態に遷移する移動通信方法であって、管理サーバが、記憶部に、前記第２無線ネットワークを介して通信可能な前記第１無線ネットワーク内の第１エリアを記憶する工程と、前記管理サーバが、前記管理サーバが、前記記憶部を参照して、前記移動機が前記第１エリアに進入したことを検知した場合に、該移動機に対して、スキャン開始指示を送信する工程と、前記移動機が、前記スキャン開始指示に応じて、アクセス可能な前記第２無線ネットワークのアクセスポイントを探索する工程と、前記移動機が、探索した前記第２無線ネットワークのアクセスポイントと協働して、該第２無線ネットワークを介して通信可能な状態に遷移する工程とを有することを要旨とする。
【０００７】
本発明の第２の特徴は、第１無線ネットワーク及び第２無線ネットワークが混在する環境において、該第１無線ネットワークを介して通信可能な状態である移動機が、該第２無線ネットワークを介して通信可能な状態に遷移する移動通信方法で用いられる管理サーバであって、前記第２無線ネットワークを介して通信可能な前記第１無線ネットワーク内の第１エリアを記憶するように構成されている記憶部と、前記記憶部を参照して、前記移動機が前記第１エリアに進入したことを検知した場合に、該移動機に対して、アクセス可能な該第２無線ネットワークのアクセスポイントを探索するように指示するスキャン開始指示を送信するように構成されている指示部とを具備することを要旨とする。
【０００８】
本発明の第２の特徴において、前記記憶部は、前記移動機から第２無線ネットワーク圏内情報を受信した際に該移動機が在圏している前記第１無線ネットワーク内のエリアを、前記第１エリアとして記憶するように構成されており、前記第２無線ネットワーク圏内情報は、前記移動機の識別情報、及び、前記第１エリア内に在圏している旨を示す情報を含んでいてもよい。
【０００９】
本発明の第２の特徴において、前記移動機から第２無線ネットワーク圏外情報を受信した際に、該移動機が前記第１エリアに進入したか否かについての監視を開始するように構成されている監視部を具備し、前記第２無線ネットワーク圏外情報は、前記移動機の識別情報、及び、前記第１エリア内から退出した旨を示す情報を含んでいてもよい。
【００１０】
本発明の第２の特徴において、前記記憶部は、前記第１エリアを、セクタ単位で記憶するように構成されていてもよい。
【００１１】
本発明の第２の特徴において、前記記憶部は、前記第１エリアを、複数の移動機で共通に管理するように構成されていてもよい。
【００１２】
本発明の第２の特徴において、前記記憶部は、移動機ごとに或いはエリアごとに設定期限を管理しており、特定の移動機或いはエリアの設定期限が経過した場合に、該特定の移動機或いはエリアに対応する前記第１エリアの記憶を削除するように構成されていてもよい。
【００１３】
本発明の第３の特徴は、第１無線ネットワーク及び第２無線ネットワークが混在する環境において、該第１無線ネットワークを介して通信可能な状態から、該第２無線ネットワークを介して通信可能な状態に遷移することが可能な移動機であって、前記第２無線ネットワークを介して通信可能な前記第１無線ネットワーク内の第１エリア内に在圏していることを検知した場合に、管理サーバに対して第２無線ネットワーク圏内情報を送信し、該第１エリアから退出したことを検知した場合に、該管理サーバに対して第２無線ネットワーク圏外情報を送信するように構成されている通知部と、前記管理サーバから受信したスキャン開始指示に応じて、アクセス可能な前記第２無線ネットワークのアクセスポイントを探索するように構成されているスキャン処理部と、探索した前記第２無線ネットワークのアクセスポイントと協働して、該第２無線ネットワークを介して通信可能な状態に遷移するように構成されている通信処理部とを具備し、前記第２無線ネットワーク圏内情報は、前記移動機の識別情報、及び、前記第１エリア内に在圏している旨を示す情報を含み、前記第２無線ネットワーク圏外情報は、前記移動機の識別情報、及び、前記第１エリアから退出した旨を示す情報を含むことを要旨とする。
【００１４】
本発明の第４の特徴は、第１無線ネットワーク及び第２無線ネットワークが混在する環境において、該第１無線ネットワークを介して通信可能な状態である移動機が、該第２無線ネットワークを介して通信可能な状態に遷移する移動通信方法であって、前記移動機が、前記第２無線ネットワークを介して通信可能な前記第１無線ネットワーク内の第１エリアを管理する工程と、前記移動機が、前記第１エリアに進入したことを検知した場合に、アクセス可能な前記第２無線ネットワークのアクセスポイントを探索する工程と、前記移動機が、探索した前記第２無線ネットワークのアクセスポイントと協働して、該第２無線ネットワークを介して通信可能な状態に遷移する工程とを有することを要旨とする。
【００１５】
本発明の第５の特徴は、第１無線ネットワーク及び第２無線ネットワークが混在する環境において、該第１無線ネットワークを介して通信可能な状態から、該第２無線ネットワークを介して通信可能な状態に遷移することが可能な移動機であって、前記第２無線ネットワークを介して通信可能な前記第１無線ネットワーク内の第１エリアを記憶するように構成されている記憶部と、前記記憶部を参照して、前記第１エリアに進入したことを検知した場合に、アクセス可能な前記第２無線ネットワークのアクセスポイントを探索するように構成されているスキャン処理部と、探索した前記第２無線ネットワークのアクセスポイントと協働して、該第２無線ネットワークを介して通信可能な状態に遷移するように構成されている通信処理部とを具備することを要旨とする。
【発明の効果】
【００１６】
以上説明したように、本発明によれば、第１無線ネットワーク（例えば、ＦＯＭＡネットワーク）及び第２無線ネットワーク（ＷＬＡＮ）が混在する環境において、移動機の消費電力を抑えつつ、移動機が第２無線ネットワーク（ＷＬＡＮ）の圏外から圏内に移動した際に素早く第２無線ネットワーク（ＷＬＡＮ）を掴むことが可能な移動通信方法、管理サーバ及び移動機を提供することができる。
【発明を実施するための最良の形態】
【００１７】
（本発明の第１の実施形態に係る移動通信システムの構成）
図１乃至図３を参照して、本発明の第１の実施形態に係る移動通信システムの構成について説明する。
【００１８】
本実施形態に係る移動通信システムでは、ＦＯＭＡネットワーク（第１無線ネットワーク）及びＷＬＡＮ（第２無線ネットワーク）が混在する環境において、ＦＯＭＡネットワークを介して通信可能な状態である移動機Ａが、ＷＬＡＮを介して通信可能な状態に遷移することが可能である。
【００１９】
具体的には、図１に示すように、本実施形態に係る移動通信システムは、複数のＦＯＭＡ基地局エリア（図１の例では、ＦＯＭＡ基地局エリアＡ、Ｂ）を含むＦＯＭＡネットワークと、ＦＯＭＡネットワーク内の特定エリア（図１の例では、ＦＯＭＡ基地局エリアＡ）内でアクセス可能なアクセスポイントを有するＷＬＡＮと、管理サーバ１００と、オペレータネットワーク１とを具備している。
【００２０】
移動機Ａは、図２に示すように、取得部１１と、通知部１２と、記憶部１３と、指示受信部１４と、スキャン処理部１５と、通信処理部１６とを具備している。
【００２１】
取得部１１は、ＦＯＭＡネットワークのアクセスポイント（ＦＯＭＡ基地局）からの報知情報（ＦＯＭＡ基地局エリア情報）に基づいて、移動機Ａが在圏しているＦＯＭＡネットワーク内のエリアを検出するように構成されている。
【００２２】
通知部１２は、スキャン処理部１５によってアクセス可能なＷＬＡＮのアクセスポイントの探索に成功した場合、すなわち、移動機ＡがＷＬＡＮを介して通信可能なＦＯＭＡネットワーク内のエリア（第１エリア）内に在圏していることが検知された場合に、管理サーバ１００に対して、ＷＬＡＮ圏内情報（第２無線ネットワーク圏内情報）を送信するように構成されている。
【００２３】
なお、通知部１２は、記憶部１３を参照して、かかるエリア（第１エリア）に関するＷＬＡＮ圏内情報が管理サーバ１００に既に登録されていると判断した場合、再度、かかるエリア（第１エリア）に関するＷＬＡＮ圏内情報を送信しないように構成されている。
【００２４】
また、通知部１２は、通信処理部１６によって、移動機ＡがＷＬＡＮを介して通信可能なＦＯＭＡネットワーク内のエリア（第１エリア）から退出したことが検知された場合に、管理サーバ１００に対して、ＷＬＡＮ圏外情報（第２無線ネットワーク圏外情報）を送信するように構成されている。
【００２５】
ここで、ＷＬＡＮ圏内情報は、移動機Ａの識別情報、及び、ＷＬＡＮを介して通信可能なＦＯＭＡネットワーク内のエリア（第１エリア）内に在圏している旨を示す情報を含む。
【００２６】
また、ＷＬＡＮ圏内情報は、アクセス可能なＷＬＡＮのアクセスポイントから受信したＳＳＩＤ（Ｓｅｒｖｉｃｅ  Ｓｅｔ  Ｉｄｅｎｔｉｆｉｅｒ）や、オペレータ（プロバイダや通信キャリア）の識別情報を含んでいてもよい。
【００２７】
また、ＷＬＡＮ圏外情報は、移動機Ａの識別情報、及び、ＷＬＡＮを介して通信可能なＦＯＭＡネットワーク内のエリア（第１エリア）から退出した旨を示す情報を含む。
【００２８】
また、ＷＬＡＮ圏外情報は、アクセス可能なＷＬＡＮのアクセスポイントから受信したＳＳＩＤ（Ｓｅｒｖｉｃｅ  Ｓｅｔ  Ｉｄｅｎｔｉｆｉｅｒ）や、オペレータ（プロバイダや通信キャリア）の識別情報を含んでいてもよい。
【００２９】
記憶部１３は、ＷＬＡＮを介して通信可能なＦＯＭＡネットワーク内のエリア（第１エリア）、すなわち、管理サーバ１００に対してＷＬＡＮ圏内情報を送信した際に移動機Ａが在圏していたＦＯＭＡネットワーク内のエリア（ＦＯＭＡ基地局エリア）を示すＦＯＭＡ基地局エリア情報を記憶するように構成されている。
【００３０】
指示受信部１４は、管理サーバ１００から、スキャン開始指示やスキャン停止指示を受信するように構成されている。
【００３１】
スキャン処理部１４は、管理サーバ１００から受信したスキャン開始指示に応じて、アクセス可能なＷＬＡＮのアクセスポイントを探索するように、すなわち、ＷＬＡＮスキャンを実施するように構成されている。
【００３２】
また、スキャン処理部１４は、管理サーバ１００から受信したスキャン停止指示に応じて、アクセス可能なＷＬＡＮのアクセスポイントの探索を停止するように、すなわち、ＷＬＡＮスキャンを停止するように構成されている。
【００３３】
また、スキャン処理部１４は、所定の場合に、アクセス可能なＷＬＡＮのアクセスポイントを探索すること（ＷＬＡＮスキャンを実施すること）によって、ＷＬＡＮを介して通信可能なＦＯＭＡネットワーク内のエリア（第１エリア）内に在圏しているか否かについて判定するように構成されている。
【００３４】
具体的には、スキャン処理部１４は、ユーザによってＷＬＡＮを介した通信（内線発信）を開始するように命令された場合や、ユーザによってＷＬＡＮブラウザにアクセスされた場合や、移動機Ａに対してＷＬＡＮを介した着信が合った場合等に、所定回数だけ、ＷＬＡＮスキャンを実施するように構成されている。
【００３５】
なお、スキャン処理部１４は、上述のスキャン開始指示を受信した場合や、所定の場合以外は、移動機Ａの消費電力を節約するために、ＷＬＡＮスキャンを実施しないように構成されている。
【００３６】
すなわち、移動機Ａは、上述のスキャン開始指示を受信した場合や、所定の場合以外は、ＷＬＡＮを介して通信可能な状態（すなわち、アクセス可能なＷＬＡＮのアクセスポイントの探索が完了している状態）にはない。
【００３７】
通信処理部１６は、スキャン処理部１４によって探索されたＷＬＡＮのアクセスポイントと協働して（すなわち、ＷＬＡＮのアクセスポイントからＳＳＩＤを取得して）、ＷＬＡＮを介して通信可能な状態に遷移するように構成されている。
【００３８】
また、通信処理部１６は、移動機ＡがＷＬＡＮを介して通信可能なＦＯＭＡネットワーク内のエリア（第１エリア）から退出したことを検知するように構成されている。
【００３９】
図３に示すように、管理サーバ１００は、ＷＬＡＮ圏内/圏外情報受信部２１と、ＦＯＭＡ基地局エリア情報取得部２２と、記憶部２３と、指示部２４とを具備している。
【００４０】
ＷＬＡＮ圏内/圏外情報受信部２１は、移動機Ａから送信されたＷＬＡＮ圏内情報及びＷＬＡＮ圏外情報を受信するように構成されている。
【００４１】
ＦＯＭＡ基地局エリア情報取得部２２は、基地局測位によって、オペレータネットワーク１から、移動機Ａが在圏しているＦＯＭＡネットワーク内のエリア（ＦＯＭＡ基地局エリア）を示すＦＯＭＡ基地局エリア情報を取得するように構成されている。
【００４２】
また、ＦＯＭＡ基地局エリア情報取得部２２は、記憶部２３を参照して、所定のタイミングで、移動機ＡがＷＬＡＮを介して通信可能なＦＯＭＡネットワーク内のエリア（第１エリア）に進入したか否かについて監視するように構成されている。
【００４３】
具体的には、ＦＯＭＡ基地局エリア情報取得部２２は、記憶部２３を参照して、定期的に、或いは、移動機Ａからの位置登録情報等によって当該移動機Ａが在圏しているＦＯＭＡ基地局エリアが切り替わったことを検知した場合に、移動機ＡがＷＬＡＮを介して通信可能なＦＯＭＡネットワーク内のエリア（第１エリア）に進入したか否かについて監視するように構成されている。
【００４４】
なお、ＦＯＭＡ基地局エリア情報取得部２２は、移動機ＡからＷＬＡＮ圏外情報を受信した際に、移動機ＡがＷＬＡＮを介して通信可能なＦＯＭＡネットワーク内のエリア（第１エリア）に進入したか否かについての監視を開始するように構成されている。
【００４５】
記憶部２３は、移動機ごとに、ＷＬＡＮを介して通信可能なＦＯＭＡネットワーク内のエリア（第１エリア）を記憶するように構成されている。
【００４６】
具体的には、記憶部２３は、「移動機ＡからＷＬＡＮ圏内情報を受信した際に当該移動機Ａが在圏しているＦＯＭＡネットワーク内のエリア」を、ＷＬＡＮを介して通信可能なＦＯＭＡネットワーク内のエリア（第１エリア）として記憶するように構成されている。
【００４７】
かかる「移動機ＡからＷＬＡＮ圏内情報を受信した際に当該移動機Ａが在圏しているＦＯＭＡネットワーク内のエリア」は、ＦＯＭＡ基地局エリア情報取得部２２によって取得されるものとする。
【００４８】
また、記憶部２３は、ＷＬＡＮを介して通信可能なＦＯＭＡネットワーク内のエリア（第１エリア）を、セクタ単位で記憶するように構成されていてもよい。
【００４９】
指示部２４は、移動機ＡがＷＬＡＮを介して通信可能なＦＯＭＡネットワーク内のエリア（第１エリア）に進入したことを検知した場合に、移動機Ａに対して、アクセス可能なＷＬＡＮのアクセスポイントを探索するように指示するスキャン開始指示を送信するように構成されている。
【００５０】
また、指示部２４は、移動機ＡがＷＬＡＮを介して通信可能ではないＦＯＭＡネットワーク内のエリアに進入したことを検知した場合に、移動機Ａに対して、アクセス可能なＷＬＡＮのアクセスポイントの探索を停止するように指示するスキャン停止指示を送信するように構成されている。
【００５１】
（本発明の第１の実施形態に係る移動通信システムの動作）
図４乃至図７を参照して、本発明の第１の実施形態に係る移動通信システムの動作について説明する。
【００５２】
第１に、図４を参照して、本発明に係る移動機Ａが、ＷＬＡＮ圏内情報を管理サーバに登録する動作について説明する。
【００５３】
図４に示すように、ステップＳ１０１において、移動機Ａは、所定の場合に、ＷＬＡＮスキャンを実施して、ＷＬＡＮのアクセスポイントを探索することによって、ＷＬＡＮ圏内に存在することを検出する。
【００５４】
ステップＳ１０２において、移動機Ａは、ＦＯＭＡネットワークのアクセスポイント（ＦＯＭＡ基地局）から、現在在圏しているＦＯＭＡ基地局エリアを示すＦＯＭＡ基地局エリア情報を取得する。
【００５５】
ステップＳ１０３において、移動機Ａは、取得したＦＯＭＡ基地局エリア情報が、記憶部１３に登録されているか否かについて判定する。
【００５６】
登録されている場合、本動作は、終了し、登録されていない場合、本動作は、ステップＳ１０４に進む。
【００５７】
ステップＳ１０４において、移動機Ａは、記憶部２３に登録するために、管理サーバ１００に対してＷＬＡＮ圏内情報を送信する。
【００５８】
第２に、図５を参照して、本実施形態に係る管理サーバ１００におけるスキャン指示動作について説明する。
【００５９】
図５に示すように、ステップＳ２０１において、管理サーバ１００は、移動機ＡからＷＬＡＮ圏内情報を取得すると、オペレータネットワーク１から、移動機Ａが現在在圏しているＦＯＭＡ基地局エリアを示すＦＯＭＡ基地局エリア情報を取得する。
【００６０】
ステップＳ２０２において、管理サーバ１００は、ステップＳ２０１において取得したＦＯＭＡ基地局エリア情報が、記憶部２３に記憶されているか否かについて判定する。
【００６１】
記憶されていると判定された場合、ステップＳ２０３において、管理サーバ１００は、移動機Ａのスキャン状態が「ＯＦＦ」であるか否かについて判定する。
【００６２】
ここで、管理サーバ１００は、各移動機Ａについて、スキャンが行われているか否かについて示す「スキャン状態」を保持している。
【００６３】
移動機Ａのスキャン状態が「ＯＦＦ」であると判定された場合、ステップＳ２０４において、管理サーバ１００は、移動機Ａに対して、スキャン開始指示を送信する。
【００６４】
次に、ステップＳ２０５において、管理サーバ１００は、移動機Ａのスキャン状態を「ＯＮ」に設定する。ステップＳ２０５の処理後、本動作は、ステップＳ２０１に戻る。
【００６５】
一方、ステップＳ２０２において、記憶されていないと判定された場合、ステップＳ２０６において、管理サーバ１００は、移動機Ａのスキャン状態が「ＯＮ」であるか否かについて判定する。
【００６６】
移動機Ａのスキャン状態が「ＯＮ」であると判定された場合、ステップＳ２０７において、管理サーバ１００は、移動機Ａに対して、スキャン停止指示を送信する。
【００６７】
そして、ステップＳ２０８において、管理サーバ１００は、移動機Ａのスキャン状態を「ＯＦＦ」に設定する。ステップＳ２０８の処理後、本動作は、ステップＳ２０１に戻る。
【００６８】
また、ステップＳ２０６において、移動機Ａのスキャン状態が「ＯＮ」ではないと判定された場合、本動作は、ステップＳ２０１に戻る。
【００６９】
第３に、図６を参照して、本実施形態に係る移動機Ａにおけるスキャン動作について説明する。
【００７０】
図６に示すように、移動機Ａは、ステップＳ３０１において、管理サーバ１００から、スキャン開始指示を受信し、ステップＳ３０２において、所定のタイミング（例えば、所定周期）で、ＷＬＡＮスキャンを実施する、すなわち、ＷＬＡＮのアクセスポイントを探索する。
【００７１】
ステップＳ３０３において、移動機Ａは、管理サーバ１００から、スキャン停止指示を受信したか否かについて判定する。
【００７２】
スキャン停止指示を受信した場合、ステップＳ３０７において、移動機Ａは、ＷＬＡＮスキャンを停止する。
【００７３】
一方、スキャン停止指示を受信しない場合、ステップＳ３０４において、移動機Ａは、ＷＬＡＮ電波（すなわち、ＷＬＡＮのアクセスポイントからの所定信号）を受信したか否かについて判定する。
【００７４】
ＷＬＡＮ電波を受信した場合、本動作は、ステップＳ３０２に戻る。
【００７５】
一方、ＷＬＡＮ電波を受信しなかった場合、移動機Ａは、ステップＳ３０５において、変数「Ｃｏｕｎｔ」の値を、１だけインクリメントし、ステップＳ３０７において、変数「Ｃｏｕｎｔ」の値が、所定閾値であるＸ未満であるか否かについて判定する。
【００７６】
変数「Ｃｏｕｎｔ」の値がＸ未満であると判定された場合、本動作は、ステップＳ３０２に戻り、一方、変数「Ｃｏｕｎｔ」の値がＸ未満でないと判定された場合、本動作は、ステップＳ３０７に進む。
【００７７】
第４に、図７を参照して、本実施形態に係る移動通信システムの動作について説明する。
【００７８】
図７に示すように、ステップＳ１００１において、ＷＬＡＮを介して通信可能な状態にない移動機Ａが、所定の場合に、ＷＬＡＮスキャンを実施して、ＷＬＡＮを介して通信可能なエリアに在圏していることを検出する。ここで、移動機Ａは、アクセス可能なＷＬＡＮのアクセスポイントからＳＳＩＤを取得する。
【００７９】
ステップＳ１００２において、移動機Ａは、現在在圏しているＦＯＭＡ基地局エリアが記憶部１３に登録されているか否かについて判断する。
【００８０】
登録されていると判断された場合、ステップＳ１００３において、移動機Ａは、移動機Ａの識別情報、ＳＳＩＤ（オプション）及びＷＬＡＮを介して通信可能なＦＯＭＡネットワーク内のエリア（第１エリア）に在圏している旨を示す情報を含むＷＬＡＮ圏内情報を、管理サーバ１００に対して送信する。
【００８１】
管理サーバ１００は、ステップＳ１００４において、当該移動機Ａに係るＦＯＭＡ基地局エリア情報を取得するためのＦＯＭＡ基地局エリア情報取得要求を、オペレータネットワーク１に送信し、ステップＳ１００５において、オペレータネットワーク１から、当該移動機Ａに係るＦＯＭＡ基地局エリア情報（ＦＯＭＡ基地局エリアＡ）を取得する。
【００８２】
ステップＳ１００６において、管理サーバ１００は、移動機Ａから受信したＷＬＡＮ圏内情報に含まれる移動機の識別情報及びＷＬＡＮを介して通信可能なＦＯＭＡネットワーク内のエリア（第１エリア）に在圏している旨を示す情報と、オペレータネットワーク１から取得した当該移動機Ａに係るＦＯＭＡ基地局エリア情報（ＦＯＭＡ基地局エリアＡ）とを関連付けて記憶部２３に記憶する。
【００８３】
ステップＳ１００７において、管理サーバ１００は、移動機ＡからのＷＬＡＮ圏内情報及び当該ＷＬＡＮ圏内情報に対応するＦＯＭＡ基地局エリア情報の登録が完了した旨を、当該移動機Ａに対して通知する。
【００８４】
ステップＳ１００８において、移動機Ａは、ステップＳ１００３で送信したＷＬＡＮ圏内情報（ＳＳＩＤ）が管理サーバ１００の記憶部２３に登録された旨を保存する。
【００８５】
その後、移動機Ａは、ＷＬＡＮを介して通信可能なＦＯＭＡネットワーク内のエリア（第１エリア）から退出したことを検知した場合、ステップＳ１００９において、移動機Ａの識別情報、ＳＳＩＤ（オプション）及びＷＬＡＮを介して通信可能なＦＯＭＡネットワーク内のエリア（第１エリア）から退出した旨を示す情報を含むＷＬＡＮ圏外情報を、管理サーバ１００に対して送信する。
【００８６】
ステップＳ１０１０において、管理サーバ１００は、受信したＷＬＡＮ圏外情報に応じて、定期的に、当該移動機Ａが在圏しているＦＯＭＡネットワーク内のエリアについて監視することを開始する。
【００８７】
管理サーバ１００は、ステップＳ１０１１において、当該移動機Ａが、ＦＯＭＡ基地局エリアＡ（すなわち、記憶部２３に記憶されているＷＬＡＮを介して通信可能なＦＯＭＡネットワーク内エリア、すなわち、第１エリア）に在圏していることを検知した場合、ステップＳ１０１２において、当該移動機Ａに対して、スキャン開始指示を送信する。
【００８８】
ステップＳ１０１３において、移動機Ａは、受信したスキャン開始指示に応じて、ＷＬＡＮスキャンを実施することを開始する。
【００８９】
（本発明の第１の実施形態に係る移動通信システムの作用・効果）
本実施形態に係る移動通信システムによれば、ＦＯＭＡネットワーク及びＷＬＡＮが混在する環境において、移動機Ａの消費電力を抑えつつ、移動機ＡがＷＬＡＮの圏外から圏内に移動した際に素早くＷＬＡＮを掴むことができる。
【００９０】
（変更例１）
図８を参照して、本発明の変更例１に係る移動通信システムについて説明する。以下、本発明の変更例１に係る移動通信システムについて、上述の第１の実施形態に係る移動通信システムとの相違点を主として説明する。
【００９１】
変更例１に係る移動通信システムは、上述の第１の実施形態に係る移動通信システムとは異なり、管理サーバ１００を具備しないように構成されている。
【００９２】
また、変更例１では、移動機Ａのスキャン処理部１５は、記憶部１３を参照して、ＷＬＡＮ（第２無線ネットワーク）を介して通信可能なＦＯＭＡネットワーク（第１無線ネットワーク）内のエリア（第１エリア）に進入したことを検知した場合に、アクセス可能なＷＬＡＮのアクセスポイントを探索するように構成されている。
【００９３】
図８を参照して、変更例１に係る移動通信システムの動作について説明する。
【００９４】
図８に示すように、ステップＳ２００１において、ＷＬＡＮを介して通信可能な状態にない移動機Ａが、所定の場合に、ＷＬＡＮスキャンを実施して、ＷＬＡＮを介して通信可能なＦＯＭＡネットワーク内のエリア（第１エリア）に在圏していることを検出する。ここで、移動機Ａは、アクセス可能なＷＬＡＮのアクセスポイントからＳＳＩＤを取得する。
【００９５】
ステップＳ２００２において、移動機Ａは、現在在圏しているＦＯＭＡ基地局エリアが記憶部１３に登録されているか否かについて判断する。
【００９６】
登録されていると判断された場合、移動機Ａは、ステップＳ２００３において、当該移動機Ａに係るＦＯＭＡ基地局エリア情報を取得するためのＦＯＭＡ基地局エリア情報取得要求を、オペレータネットワーク１に送信し、ステップＳ２００４において、オペレータネットワーク１から、当該移動機Ａに係るＦＯＭＡ基地局エリア情報（ＦＯＭＡ基地局エリアＡ）を取得する。
【００９７】
すなわち、変更例１では、移動機Ａが、上述の第１の実施形態における管理サーバ１００を介さずに、直接、当該移動機Ａに係るＦＯＭＡ基地局エリア情報（ＦＯＭＡ基地局エリアＡ）を取得する、すなわち、基地局測位を実施するように構成されている。
【００９８】
ステップＳ２００５において、管理サーバ１００は、移動機の識別情報及びＷＬＡＮを介して通信可能なＦＯＭＡネットワーク内のエリア（第１エリア）に在圏している旨を示す情報と、オペレータネットワーク１から取得した当該移動機Ａに係るＦＯＭＡ基地局エリア情報（ＦＯＭＡ基地局エリアＡ）とを関連付けて記憶部１３に記憶する。
【００９９】
その後、移動機Ａは、ＷＬＡＮを介して通信可能なエリアから退出したことを検知した場合、ステップＳ２００６において、定期的に、当該移動機Ａが在圏しているＦＯＭＡネットワーク内のエリアについて監視することを開始する。
【０１００】
移動機Ａは、ステップＳ２００７において、ＦＯＭＡ基地局エリアＡ（すなわち、記憶部１３に記憶されているＷＬＡＮを介して通信可能なＦＯＭＡネットワーク内のエリア、すなわち、第１エリア）に在圏していることを検知した場合、ステップＳ２００８において、ＷＬＡＮスキャンを実施することを開始する。
【０１０１】
（変更例２）
本発明の変更例２では、管理サーバ２０の記憶部２３が、ＷＬＡＮ（第２無線ネットワーク）を介して通信可能なＦＯＭＡネットワーク（第１無線ネットワーク）内のエリア（第１エリア）を、複数の移動機で共通に管理するように構成されている。
【０１０２】
具体的には、管理サーバ２０の記憶部２３は、同一のオペレータ（プロバイダや通信キャリア等）の通信サービスを利用している複数の移動機同士で、ＷＬＡＮ（第２無線ネットワーク）クを介して通信可能なＦＯＭＡネットワーク（第１無線ネットワーク）内のエリア（第１エリア）を共通に管理するように構成されている。
【０１０３】
かかる場合、例えば、管理サーバ２０の記憶部２３は、ＷＬＡＮ圏内情報に含まれているオペレータ（プロバイダや通信キャリア等）の識別情報を用いるように構成されている。
【０１０４】
なお、上述の変更例１のように、移動機Ａが、基地局測位を行う場合、管理サーバ１００は、記憶部２３によって管理されている複数の移動機で共通の「ＷＬＡＮを介して通信可能なＦＯＭＡネットワーク内のエリア（第１エリア）」を、プッシュ型通信によって、移動機Ａに対して通知するように構成されていてもよい。
【０１０５】
変更例２に係る移動通信システムによれば、管理サーバ１００（又は、移動機Ａ）は、より効率的に、ＷＬＡＮスキャンを実施することができ、移動機Ａの消費電力の低減に繋がる。
【０１０６】
（変更例３）
本発明の変更例２では、管理サーバ１００の記憶部２３は、移動機ごとに或いはＦＯＭＡ基地局エリア（エリア）ごとに設定期限を管理しており、特定の移動機或いはＦＯＭＡ基地局エリア（エリア）の設定期限が経過した場合に、当該特定の移動機或いはエリアに対応するＷＬＡＮ（第２無線ネットワーク）を介して通信可能なＦＯＭＡネットワーク（第１無線ネットワーク）内のエリア（第１エリア）の記憶を削除するように構成されている。
【０１０７】
例えば、管理サーバ１００の記憶部２３は、移動機Ａに対応する「ＷＬＡＮを介して通信可能なＦＯＭＡネットワーク内のエリア（第１エリア）」を示す情報について、１年経過後に削除するように構成されていてもよい。
【０１０８】
また、管理サーバ１００の記憶部２３は、ＦＯＭＡ基地局エリアＡに対応する「ＷＬＡＮを介して通信可能なＦＯＭＡネットワーク内のエリア（第１エリア）」を示す情報について、１年経過後に削除するように構成されていてもよい。
【０１０９】
変更例３に係る移動通信システムによれば、アクセスポイントの増設やオペレータの変更等に対しても、柔軟に対応して、常時、適切なＷＬＡＮスキャンを実施することができ、移動機Ａの消費電力の低減に繋がる。
【０１１０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１１】
【図１】本発明の第１の実施形態に係る移動通信システムの全体構成図である。
【図２】本発明の第１の実施形態に係る移動機の機能ブロック図である。
【図３】本発明の第１の実施形態に係る管理サーバの機能ブロック図である。
【図４】本発明の第１の実施形態に係る移動機における登録動作を示すフローチャートである。
【図５】本発明の第１の実施形態に係る管理サーバにおけるスキャン指示動作を示すフローチャートである。
【図６】本発明の第１の実施形態に係る移動機におけるスキャン動作を示すフローチャートである。
【図７】本発明の第１の実施形態に係る移動通信システムの動作を示すシーケンス図である。
【図８】本発明の変更例１に係る移動通信システムの動作を示すシーケンス図である。
【符号の説明】
【０１１２】
１…オペレータネットワーク
Ａ…移動機
１１…取得部
１２…通知部
１３、２３…記憶部
１４…指示受信部
１５…スキャン処理部
１６…通信処理部
１００…管理サーバ
２１…ＷＬＡＮ圏内/圏外情報受信部
２２…ＦＯＭＡ基地局エリア情報取得部
２４…指示部
【図１】
0004929113.tif 000002
【図２】
0004929113.tif 000003
【図３】
0004929113.tif 000004
【図４】
0004929113.tif 000005
【図５】
0004929113.tif 000006
【図６】
0004929113.tif 000007
【図７】
0004929113.tif 000008
【図８】
0004929113.tif 000009